(57)【要約】      （修正有）【課題】単に手指の押圧に限らず、握力の向上にも資することができる手指健康器具を提供する。【解決手段】手で握ったり指先でつかんだりすることができる、弾性を有するベース体２と、このベース体２内に収納された、当該ベース体２を所定の力で握ったり指先でつかむと先端部が外方に露出されて、当該握った部分、つかんだ部分を押圧することができる押圧突起３と、前記ベース体２の表面に形成された図柄等の表示４とで構成した手指健康器具。【選択図】図１
2005013253.tif 000002
【特許請求の範囲】
【請求項１】
手で握ったり指先でつかんだりすることができる、弾性を有するベース体と、このベース体内に収納された、当該ベース体を所定の力で握ったり指先でつかむと先端部が外方に露出されて、当該握った部分、つかんだ部分を押圧することができる押圧突起とからなることを特徴とする手指健康器具。
【請求項２】
手で握ったり指先でつかむことができる、弾性を有するベース体と、このベース体内に収納された、当該ベース体を所定の力で握ったり指先でつかむと先端部が外方に露出されて、当該握った部分、つかんだ部分を押圧することができる押圧突起と、前記ベース体の表面に表わされた図柄等の表示とからなることを特徴とする手指健康器具。
【発明の詳細な説明】
【０００１】
【発明の属する技術分野】本発明は手指のツボを刺激することができる手指健康器具に関する。
【０００２】
【従来の技術】
従来、健康改善等を目的として、くるみを用いたり、表面に複数の突起が形成されたゴム材からなる健康器具を使って手指のツボを刺激している。
【０００３】
【発明が解決しようとする課題】
従来のくるみを用いる方法は単にツボの刺激だけを行うものであるので、握力の向上を図る場合は、別途違う器具などを用いなければならず、面倒であるという欠点があった。また、表面に複数の突起が形成されたゴム材からなる健康器具は、形状が特異であるため、嗜好の差が激しく、気軽に愛用してもらえないという欠点があった。
【０００４】
本発明は以上のような従来の欠点に鑑み、所定の力で握り、押圧突起を露出させて手指を押圧するように構成することによって、単に手指の押圧に限らず、握力の向上にも資することができ、また、平時は押圧突起が収納されることで、見た目にも仰々しくなく気軽に愛用することができる手指健康器具を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は手で握ったり指先でつかんだりすることができる、弾性を有するベース体と、このベース体内に収納された、当該ベース体を所定の力で握ったり指先でつかむと先端部が外方に露出されて、当該握った部分、つかんだ部分を押圧することができる押圧突起とで手指健康器具を構成している。
【０００７】
【発明の実施の形態】
以下、図面に示す実施の形態により、本発明を詳細に説明する。
【０００８】
図１ないし図６に示す本発明の第１の実施の形態において、１は手指のツボを刺激することができるとともに握力の向上にも資することができる本発明の手指健康器具で、この手指健康器具１は、手で握ったり指先でつかんだりすることができる、弾性を有するベース体２と、このベース２体内に収納された、当該ベース体２を所定の力で握ったり指先でつかむと先端部が外方に露出されて、当該握った部分、つかんだ部分を押圧することができる押圧突起３と、前記ベース体２の表面に形成された図柄等の表示４とで構成されている。
【０００９】
前記ベース体２は、厚さ寸法が略２ｃｍメートルで、抗菌性を有する発砲樹脂材で略台形状に形成され、所定の力で握ると収縮し、離すと元の形状に戻る弾性を有している。また、当該ベース体２の略中央部には、後述する押圧突起３が略斜め上方に露出されるための開口部５を形成した貫通孔状の収納部６が形成されている。
【００１０】
前記押圧突起３は、プラスチック材で形成された、直径が略４ｍｍである縦長円柱状のバー部材で形成され、先端部は丸みを持たせた形状で形成されているとともに、当該先端部は前記ベース体２の開口部５より略４ｍｍ埋没されて構成されている。また、押圧部材３の後端部には、厚み幅が略２ｍｍである支持板７が一体成形あるいは固定されて形成されており、前記ベース体２の収納部６の開口部５と反対に位置する開口部５Ａを覆うように当該ベース体２に接着剤等で固定されている。
【００１１】
前記図柄等の表示４は、ベース体２の表面に、例えば、動植物や人、キャラクター等が印刷・塗装等によって表わされている。この図柄等の表示４は、ベース体２を握ったり、つかんだりすることで、表示が歪むため、当該表示４の変形を視覚的に楽しむことができる。
【００１２】
上記構成の手指健康器具１は、例えば、図４に示すように、先ず、任意の指８でベース体２の開口部５を塞ぐように持つ。この状態で、図５に示すようにベース体２を所定の力で握ると、ベース体２は収縮され、押圧突起３が外方に露出されるように作用する。このような作用によって、押圧突起３の先端部３ａが当該指８を押圧する。このような動作を他の指で順次行って適宜押圧する。
【００１３】
また、図６に示すように、ベース体２の開口部５が掌９に向くように持って握ると、押圧突起３で当該掌９の部位を押圧することもできる。
このような動作を行うことで、握力の向上と、手指のツボの刺激とを同時に行うことができる。
なお、本発明の実施の形態にあっては、図４および図６に示した使用に限らず、例えば、指先でつかんで使用したり、両手で手指健康器具１を持って片方の掌等を押圧する等、その他の使用も可能である。
【００１４】
【発明の異なる実施の形態】
次に、図７ないし図２１に示す本発明の異なる実施の形態について説明する。なお、これらの本発明の異なる実施の形態の説明に当って、前記本発明の第１の実施の形態と同一構成部分には同一符号を付して重複する説明を省略する。
【００１５】
図７ないし図９に示す本発明の第２の実施の形態において、前記本発明の第１の実施の形態と主に異なる点は、支持板７を用いずに、押圧突起３をベース体２の収納部６内に収納させた点で、このように構成された手指健康器具１Ａにしても前記本発明の第１の実施の形態と同様の作用効果が得られるとともに、手で握ると指８だけでなく掌９をも同時に押圧することができる。
【００１６】
図１０ないし図１２に示す本発明の第３の実施の形態において、前記本発明の第１の実施の形態と主に異なる点は、略横長直方体形状に形成されたベース体２Ａと、このベース体２Ａ内に先端部が略平坦に形成された４つの押圧突起３Ａ、３Ａ、３Ａ、３Ａが収納されて構成された点で、このようなベース体２Ａおよび指圧突起３Ａからなる手指健康器具１Ｂにしても前記本発明の第１の実施の形態と同様の作用効果が得られるとともに、親指を除く４本の指８、８、８、８の指先を同時に押圧することができる。なお、前記ベース体２Ａの開口部５Ａ、５Ａ、５Ａ、５Ａは閉塞テープ１０で塞がれている。
また、本発明の実施の形態においては、１つの押圧突起３Ａを使って、親指を押圧することもできる。
【００１７】
図１３ないし図１５に示す本発明の第４の実施の形態において、前記本発明の第１の実施の形態と主に異なる点は、略正方形状に形成されたベース体２Ｂと、このベース体２Ｂ内に先端部が略平坦に形成されたアルミ製の押圧突起３Ｂが収納されて構成された点で、このようなベース体２Ｂおよび指圧突起３Ｂからなる手指健康器具１Ｃにしても前記本発明の第１の実施の形態と同様の作用効果が得られる。
【００１８】
図１６ないし図１８に示す本発明の第５の実施の形態において、前記本発明の第１の実施の形態と主に異なる点は、先端部に小突起１１が一体成形されて形成された押圧突起３Ｃを用いた点で、このような押圧突起３Ｃを構成した手指健康器具１Ｄにしても前記本発明の第１の実施の形態と同様の効果が得られるとともに、より局部的な押圧を行うことができる。
【００１９】
図１９ないし図２１に示す本発明の第６の実施の形態において、前記本発明の第１の実施の形態と主に異なる点は、開口部５の反対側の部位が閉塞された収納部６Ａを形成したベース体２Ｃを用いた点で、このようなベース体２Ｃを構成した手指健康器具１Ｅにしても前記本発明の第２の実施の形態と同様な作用効果が得られる。
【００２０】
なお、本発明の各実施の形態において、押圧突起３は、バー部材で構成したものについて説明したが、本発明はこれに限らず、例えば、ベース体２内に弾性を有するプラスチック板を収納するように構成し、このプラスチック板の上端部に僅かに突出する突起部を一体成形して構成するなど、ベース体２を所定の力で握ったり、指先でつかんだりした場合に、押圧突起３の先端部が外部に露出される構成であればどのように構成してもよい。
【００２１】
また、前記押圧突起３は、プラスチック材やアルミ製のものについて説明したが、本発明はこれに限らず、木、硬質ゴム、セラミック等で構成してもよい。
【００２２】
さらに、前記ベース体２は、発砲樹脂材で形成されたものについて説明したが、本発明はこれに限らず、例えば、軟質ゴム等で形成するなど、ベース体２を所定の力で握ったり、指先でつかんだりした場合に、押圧突起３の先端部が外部に露出されることができる材質であればどのような材質を用いてもよい。
【００２３】
前記本発明の各実施の形態では手指のツボを刺激する場合に使用する説明を行ったが、本発明は手指に限らず、足や足の指先、その他身体のツボを押圧突起で刺激する場合に使用してもよい．
【００２４】
【発明の効果】
以上の説明から明らかなように、本発明にあっては次に列挙する効果が得られる。
【００２５】
（１）手で握ったり指先でつかんだりすることができる、弾性を有するベース体と、このベース体内に収納された、当該ベース体を所定の力で握ったり指先でつかむと先端部が外方に露出されて、当該握った部分、つかんだ部分を押圧することができる押圧突起とで構成されているので、指先や掌にあるツボを効果的に押圧することができるとともに、握力の向上にも資することができる。
【００２６】
（２）前記（１）によって、平時は押圧突起が収納された状態になっているので、従来の健康器具のような見た目の仰々しさがなく、誰もが気軽に持ち歩いて愛用することができる。
【００２７】
（３）前記（１）によって、構造が簡単で、安価に製造することができるとともに、誰でもが簡単に使用することができる。
【００２８】
（４）請求項２も前記（１）〜（４）と同様の効果が得られるとともに、表面に図柄等が表わされているので、使用時に、当該図柄等の変形状態を視覚的に楽しむことができる。したがって、楽しみながら用いることができる。
【図面の簡単な説明】
【図１】本発明の第１の実施の形態の正面図。
【図２】本発明の第１の実施の形態の平面図。
【図３】図２の３−３線に沿う断面図。
【図４】本発明の第１の実施の形態の使用状態の説明図。
【図５】押圧状態の説明図。
【図６】掌を押圧する場合の説明図。
【図７】本発明の第２の実施の形態の正面図。
【図８】本発明の第２の実施の形態の平面図。
【図９】図８の９−９線に沿う断面図。
【図１０】本発明の第３の実施の形態の正面図。
【図１１】本発明の第３の実施の形態の平面図。
【図１２】図１１の１２−１２線に沿う断面図。
【図１３】本発明の第４の実施の形態の正面図。
【図１４】本発明の第４の実施の形態の平面図。
【図１５】図１４の１５−１５線に沿う断面図。
【図１６】本発明の第５の実施の形態の正面図。
【図１７】本発明の第５の実施の形態の平面図。
【図１８】図１７の１８−１８線に沿う断面図。
【図１９】本発明の第６の実施の形態の正面図。
【図２０】本発明の第６の実施の形態の平面図。
【図２１】図２０の２１−２１線に沿う断面図。
【符号の説明】
１、１Ａ〜１Ｅ：手指健康器具、
２、２Ａ〜２Ｃ：ベース体、
３、３Ａ〜３Ｃ：押圧突起、
４：図柄等の表示、
５、５Ａ：開口部、
６、６Ａ：収納部、
７：支持板、
８：指、
９：掌、
１０：閉塞テープ、
１１：小突起。
【図１】
2005013253.tif 000003
【図２】
2005013253.tif 000004
【図３】
2005013253.tif 000005
【図４】
2005013253.tif 000006
【図５】
2005013253.tif 000007
【図６】
2005013253.tif 000008
【図７】
2005013253.tif 000009
【図８】
2005013253.tif 000010
【図９】
2005013253.tif 000011
【図１０】
2005013253.tif 000012
【図１１】
2005013253.tif 000013
【図１２】
2005013253.tif 000014
【図１３】
2005013253.tif 000015
【図１４】
2005013253.tif 000016
【図１５】
2005013253.tif 000017
【図１６】
2005013253.tif 000018
【図１７】
2005013253.tif 000019
【図１８】
2005013253.tif 000020
【図１９】
2005013253.tif 000021
【図２０】
2005013253.tif 000022
【図２１】
2005013253.tif 000023